(57)【特許請求の範囲】
【請求項１】
第１の商品に要求される１つ又は複数の品質である要求品質各々と、前記第１の商品に関連する１つ又は複数の仕様項目各々との対応の強さ、及び、前記要求品質どうしの対応の強さを示す関係情報を記憶する関係情報記憶手段と、
前記第１の商品の構成部品各々と前記仕様項目各々との対応関係を特定するための部品仕様関係情報を記憶する部品仕様関係情報記憶手段と、
第１の前記構成部品をキーとして前記部品仕様関係情報を検索し、当該キーに対応する前記仕様項目を、前記第１の構成部品を他の構成部品に変更した場合に影響が及ぶ前記仕様項目として特定する影響仕様特定手段と、
前記影響仕様特定手段により特定された前記仕様項目をキーとして前記関係情報を検索し、特定された前記仕様項目と対応関係を有する前記要求品質、及び、特定された前記仕様項目と対応関係を有する前記要求品質と対応関係を有する前記要求品質を、前記第１の構成部品を他の構成部品に変更した場合に影響が及ぶ前記要求品質として特定する影響要求品質特定手段と、
を有する情報管理装置。
【請求項２】
請求項１に記載の情報管理装置において、
前記第１の商品に関連付けて、前記関係情報の入力を受付ける関係情報受付手段をさらに有する情報管理装置。
【請求項３】
請求項２に記載の情報管理装置において、
前記関係情報受付手段は、前記要求品質を一方向の要素とし、前記仕様項目を他方向の要素とした２次元マトリクス表を介して、前記要求品質各々と前記仕様項目各々との対応の強さの入力を受付ける情報管理装置。
【請求項４】
請求項３に記載の情報管理装置において、
前記２次元マトリクス表を表示するマトリクス表示手段をさらに有する情報管理装置。
【請求項５】
請求項２から４のいずれか１項に記載の情報管理装置において、
前記第１の商品に関連付けて、前記要求品質の入力を受付ける要求品質受付手段をさらに有する情報管理装置。
【請求項６】
請求項２から５のいずれか１項に記載の情報管理装置において、
前記第１の商品に関連付けて、前記仕様項目の入力を受付ける仕様項目受付手段をさらに有する情報管理装置。
【請求項７】
コンピュータを、
第１の商品に要求される１つ又は複数の品質である要求品質各々と、前記第１の商品に関連する１つ又は複数の仕様項目各々との対応の強さ、及び、前記要求品質どうしの対応の強さを示す関係情報を記憶する関係情報記憶手段、
前記第１の商品の構成部品各々と前記仕様項目各々との対応関係を特定するための部品仕様関係情報を記憶する部品仕様関係情報記憶手段、
第１の前記構成部品をキーとして前記部品仕様関係情報を検索し、当該キーに対応する前記仕様項目を、前記第１の構成部品を他の構成部品に変更した場合に影響が及ぶ前記仕様項目として特定する影響仕様特定手段、
前記影響仕様特定手段により特定された前記仕様項目をキーとして前記関係情報を検索し、特定された前記仕様項目と対応関係を有する前記要求品質、及び、特定された前記仕様項目と対応関係を有する前記要求品質と対応関係を有する前記要求品質を、前記第１の構成部品を他の構成部品に変更した場合に影響が及ぶ前記要求品質として特定する影響要求品質特定手段、
として機能させるためのプログラム。
【請求項８】
コンピュータが、
第１の商品に要求される１つ又は複数の品質である要求品質各々と、前記第１の商品に関連する１つ又は複数の仕様項目各々との対応の強さ、及び、前記要求品質同士の対応の強さを示す関係情報と、
前記第１の商品の構成部品各々と前記仕様項目各々との対応関係を特定するための部品仕様関係情報とを記憶しておき、
第１の前記構成部品をキーとして前記部品仕様関係情報を検索し、当該キーに対応する前記仕様項目を、前記第１の構成部品を他の構成部品に変更した場合に影響が及ぶ前記仕様項目として特定する影響仕様特定工程と、
前記影響仕様特定工程で特定された前記仕様項目をキーとして前記関係情報を検索し、特定された前記仕様項目と対応関係を有する前記要求品質、及び、特定された前記仕様項目と対応関係を有する前記要求品質と対応関係を有する前記要求品質を、前記第１の構成部品を他の構成部品に変更した場合に影響が及ぶ前記要求品質として特定する影響要求品質特定工程と、
を実行する情報管理方法。
【発明の詳細な説明】
【技術分野】
【０００１】
本発明は、情報管理装置、情報管理方法およびプログラムに関する。
【背景技術】
【０００２】
非特許文献１に、ＱＦＤ（品質機能展開）の概説が開示されている。ＱＦＤは、新製品の効率的な開発を意図して考え出された方法論である。当該方法によれば、まず、アンケート調査等の手法を用いて顧客の声を収集後、収集したデータを分析して、新商品に要求される品質（要求品質）を抽出する。要求品質は、例えば商品がライターである場合、「確実に着火する」、「使いやすい」など、顧客目線で表現したものとすることができる。【０００３】
その後、要求品質を品質要素に変換する。具体的には、要求品質に基づいて品質要素を抽出するとともに、要求品質と品質要素の依存関係をまとめた２次元マトリクス表（品質表）を作成する。品質要素は、「耐久性」、「着火性」など、技術者の目線で表現したものとすることができる。すなわち、要求品質は市場の世界、品質要素は技術の世界であり、要求品質から品質要素への変換は、市場の世界を技術の世界に変換していると考えることができる。【０００４】
その後、対象製品が具備すべき機能を展開した機能展開表を作成し、さらに、機能を具現化するメカニズムを展開して機構展開表を作成し、次いで、機構を具体的な部品に繋げるためのユニット・部品展開表などに展開していく。【０００５】
また、特許文献１には、要求品質と品質特性の対応関係、要求品質と部品の対応関係、及び、品質特性と部品の対応関係をまとめた品質表が開示されている。
【先行技術文献】
【特許文献】
【０００６】
【特許文献１】特開２０１０−３３５３０号公報
【非特許文献】
【０００７】
【非特許文献１】大藤正、"ＱＦＤ（品質機能展開）の概説"、［online］、２０００年１月１７日、［２０１１年１２月２２日検索］、インターネット<URL:http://techon.nikkeibp.co.jp/free/nmc/kiji/triz/kiji/kiji1/kiji001.html>
【発明の概要】
【発明が解決しようとする課題】
【０００８】
従来のシステムの場合、設計者が作成可能な品質表の内容が制限されていた。例えば、従来のシステムの場合、品質表に展開する要素が予め定められており（例：２次元マトリクス表の縦方向に要求品質、横方向に品質特性を展開）、設計者は、そのフォーマットに従い、限られ範囲の品質表（例：要求品質と品質特性の依存関係のみを表した品質表）を作成するしかなかった。【０００９】
しかし、本発明者は、同一要素同士にも依存関係が存在することを見出すとともに、ある要素を他の要素に変換する処理の精度を向上させるためには、同一要素同士の依存関係をも考慮すべきであることを見出した。【００１０】
そこで、本発明では、従来にないＱＦＤの品質表を作成する支援を行う技術を提供することを課題とする。
【課題を解決するための手段】
【００１１】
本発明によれば、第１の商品に要求される１つ又は複数の品質である要求品質各々と、前記第１の商品に関連する１つ又は複数の仕様項目各々との対応の強さ、及び、前記要求品質同士の対応の強さを示す関係情報を記憶する関係情報記憶手段と、前記第１の商品の構成部品各々と前記仕様項目各々との対応関係を特定するための部品仕様関係情報を記憶する部品仕様関係情報記憶手段と、第１の前記構成部品をキーとして前記部品仕様関係情報を検索し、当該キーに対応する前記仕様項目を、前記第１の構成部品を他の構成部品に変更した場合に影響が及ぶ前記仕様項目として特定する影響仕様特定手段と、前記影響仕様特定手段により特定された前記仕様項目をキーとして前記関係情報を検索し、特定された前記仕様項目と対応関係を有する前記要求品質、及び、特定された前記仕様項目と対応関係を有する前記要求品質と対応関係を有する前記要求品質を、前記第１の構成部品を他の構成部品に変更した場合に影響が及ぶ前記要求品質として特定する影響要求品質特定手段と、を有する情報管理装置が提供される。
【００１２】
また、本発明によれば、コンピュータを、第１の商品に要求される１つ又は複数の品質である要求品質各々と、前記第１の商品に関連する１つ又は複数の仕様項目各々との対応の強さ、及び、前記要求品質同士の対応の強さを示す関係情報を記憶する関係情報記憶手段、前記第１の商品の構成部品各々と前記仕様項目各々との対応関係を特定するための部品仕様関係情報を記憶する部品仕様関係情報記憶手段、第１の前記構成部品をキーとして前記部品仕様関係情報を検索し、当該キーに対応する前記仕様項目を、前記第１の構成部品を他の構成部品に変更した場合に影響が及ぶ前記仕様項目として特定する影響仕様特定手段、前記影響仕様特定手段により特定された前記仕様項目をキーとして前記関係情報を検索し、特定された前記仕様項目と対応関係を有する前記要求品質、及び、特定された前記仕様項目と対応関係を有する前記要求品質と対応関係を有する前記要求品質を、前記第１の構成部品を他の構成部品に変更した場合に影響が及ぶ前記要求品質として特定する影響要求品質特定手段、として機能させるためのプログラムが提供される。
【００１３】
また、本発明によれば、第１の商品に要求される１つ又は複数の品質である要求品質各々と、前記第１の商品に関連する１つ又は複数の仕様項目各々との対応の強さ、及び、前記要求品質同士の対応の強さを示す関係情報と、前記第１の商品の構成部品各々と前記仕様項目各々との対応関係を特定するための部品仕様関係情報とを記憶しておき、第１の前記構成部品をキーとして前記部品仕様関係情報を検索し、当該キーに対応する前記仕様項目を、前記第１の構成部品を他の構成部品に変更した場合に影響が及ぶ前記仕様項目として特定する影響仕様特定工程と、前記影響仕様特定工程で特定された前記仕様項目をキーとして前記関係情報を検索し、特定された前記仕様項目と対応関係を有する前記要求品質、及び、特定された前記仕様項目と対応関係を有する前記要求品質と対応関係を有する前記要求品質を、前記第１の構成部品を他の構成部品に変更した場合に影響が及ぶ前記要求品質として特定する影響要求品質特定工程と、をコンピュータが実行する情報管理方法が提供される。
【発明の効果】
【００１４】
本発明によれば、従来にないＱＦＤの品質表を作成することが可能となる。
【図面の簡単な説明】
【００１５】
上述した目的、および、その他の目的、特徴及び利点は、以下に述べる好適な実施の形態、および、それに付随する以下の図面によって、さらに明らかになる。
【図１】第１の実施形態の情報管理装置の機能ブロック図の一例である。
【図２】本実施形態の情報管理装置が表示する画面の一例である。
【図３】本実施形態の情報管理装置が表示する画面の一例である。
【図４】第２の実施形態の情報管理装置の機能ブロック図の一例である。
【図５】マトリクス表示部が表示する２次元マトリクス表の一例である。
【図６】第３の実施形態の情報管理装置の機能ブロック図の一例である。
【図７】制限情報記憶部が記憶する入力値制限情報の一例である。
【図８】第４の実施形態の情報管理装置の機能ブロック図の一例である。
【図９】部品仕様関係情報記憶部が記憶する情報の一例である。
【図１０】部品情報記憶部が記憶する情報の一例である。
【図１１】情報管理装置が記憶することができる情報の一例である。
【発明を実施するための形態】
【００１６】
以下、本発明の実施の形態について図面を用いて説明する。
【００１７】
なお、本実施形態のシステムは、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００１８】
また、本実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００１９】
＜第１の実施形態＞
まず、本実施形態の情報管理装置の概要について説明する。
【００２０】
本実施形態の情報管理装置は、ＱＦＤの手法を利用して新商品の開発を援助するとともに、開発段階で利用した情報（ＱＦＤの品質表等）を、開発された新商品に関連付けて管理する機能を有する。管理されている情報は、以降、例えば類似商品（バリエーション商品）の開発に利用されたり、または、その商品の構成部品を他の部品に変更した際に生じる影響を調べたりするために使用することができる。
【００２１】
図１に、本実施形態の情報管理装置１０の機能ブロック図の一例を示す。図示するように、情報管理装置１０は、要求品質受付部１１と、要求品質記憶部１２と、仕様項目受付部１３と、仕様項目記憶部１４と、マトリクス表示部１５と、関係情報受付部１６と、関係情報記憶部１７と、を有する。なお、情報管理装置１０は、さらに、縦要素選択受付部１８及び横要素選択受付部１９を有してもよい。以下、各部について説明する。
【００２２】
要求品質受付部１１は、第１の商品（新たに開発する商品）に要求される１つ又は複数の品質（要求品質）の入力を受付ける。ここでの「要求品質」は、非特許文献１に記載されている「要求品質」と同義の言葉である。例えば、第１の商品が、複写機、プリンター、イメージスキャナ、ファクシミリ等、複数の機能を有する複合機（以下、単に「複合機」）である場合、要求品質は、「高速プリント」、「快適なスキャニング」、「操作がスムーズ」、「鮮やかな高画質」などが考えられる。このような第１の商品に要求される要求品質（以下、「第１の要求品質」）は、非特許文献１に記載されている手法を用いて抽出することができる。第１の要求品質を抽出する作業は、人間が行う。そして、要求品質受付部１１は、キーボード、タッチパネルディスプレイ、スキャナ、マイク等のあらゆる入力装置を利用して、第１の要求品質の入力を受付ける。
【００２３】
要求品質記憶部１２は、要求品質受付部１１が受付けた第１の要求品質を、第１の商品に関連付けて記憶する。例えば、第１の商品に商品番号などの識別情報が付与され、要求品質記憶部１２は、当該識別情報に関連付けて、第１の要求品質を記憶する。
【００２４】
仕様項目受付部１３は、第１の商品に関連する１つ又は複数の仕様項目の入力を受付ける。仕様項目とは、商品設計において考慮すべき項目であり、いわゆる商品仕様書に記載される項目等である。そして、第１の商品に関連する仕様項目（以下、「第１の仕様項目」）とは、要求品質記憶部１２が記憶している第１の要求品質を実現させるために第１の商品の設計において考慮すべき仕様項目である。第１の仕様項目には、第１の商品の設計において考慮される一般的な仕様項目が含まれてもよい。例えば、第１の商品と同種の商品における過去の設計事例を参考にして、第１の仕様項目を抽出してもよい。または、要求品質記憶部１２が記憶している第１の要求品質に基づいて、設計者が自らの経験に基づき、第１の仕様項目を抽出してもよい。また、第１の仕様項目はこれらの組み合わせとしてもよい。例えば、第１の商品が複合機である場合、第１の仕様項目は、「ＨＤＤ容量」、「カラー対応」、「読み取り解像度」、「書き込み解像度」などが考えられる。このような第１の仕様項目を抽出する作業は、人間が行う。そして、仕様項目受付部１３は、キーボード、タッチパネルディスプレイ、スキャナ、マイク等のあらゆる入力装置を利用して、第１の仕様項目の入力を受付ける。
【００２５】
仕様項目記憶部１４は、仕様項目受付部１３が受付けた第１の仕様項目を、第１の商品に関連付けて記憶する。例えば、第１の商品に商品番号などの識別情報が付与され、仕様項目記憶部１４は、当該識別情報に関連付けて、第１の仕様項目を記憶する。
【００２６】
マトリクス表示部１５は、２次元マトリクス表をディスプレイに表示する。そして、要求品質記憶部１２が記憶する１つ又は複数の第１の要求品質、及び、仕様項目記憶部１４が記憶する１つ又は複数の第１の仕様項目の中の一部又は全部を、縦方向要素として２次元マトリクス表に縦方向一列に表示する。また、要求品質記憶部１２が記憶する１つ又は複数の第１の要求品質、及び、仕様項目記憶部１４が記憶する１つ又は複数の第１の仕様項目の中の一部又は全部を、横方向要素として２次元マトリクス表に横方向一列に表示する。
【００２７】
図２に、マトリクス表示部１５が表示する２次元マトリクス表の一例を示す。図２の領域Ｃに、当該２次元マトリクス表が表示されている。当該２次元マトリクス表には、複数の第１の仕様項目が縦方向要素として縦方向一列に表示されるとともに、複数の第１の要求品質が横方向要素として横方向一列に表示されている。
【００２８】
なお、マトリクス表示部１５は、図１に示す縦要素選択受付部１８及び横要素選択受付部１９が受付けた内容に従い、２次元マトリクス表に表示する縦方向要素及び横方向要素を決定することができる。縦要素選択受付部１８は、要求品質記憶部１２が記憶する１つ又は複数の第１の要求品質、及び、仕様項目記憶部１４が記憶する１つ又は複数の第１の仕様項目の中の一部又は全部を、２次元マトリクス表の縦方向要素とする選択入力を受付ける。また、横要素選択受付部１９は、要求品質記憶部１２が記憶する１つ又は複数の第１の要求品質、及び、仕様項目記憶部が記憶する１つ又は複数の第１の仕様項目の中の一部又は全部を、２次元マトリクス表の横方向要素とする選択入力を受付ける。当該選択入力は、キーボード、タッチパネルディスプレイ、スキャナ、マイク等のあらゆる入力装置を利用して実現することができる。
【００２９】
ここで、図２に示す例の場合、横要素選択受付部１９は、領域Ａに表示されている要素を横方向要素として決定する。また、縦要素選択受付部１８は、領域Ｂに表示されている要素を縦方向要素として決定する。
【００３０】
領域Ａには、「要求品質」の文言を上位概念とし、ツリー状に、要求品質の詳細な内容が複数表示されている。また、領域Ｂには、「仕様項目」の文言を上位概念とし、ツリー状に、仕様項目の詳細な内容が複数表示されている。
【００３１】
縦要素選択受付部１８及び横要素選択受付部１９は、領域Ａ及びＢにツリー状に表示されている要素（図２の場合、要求品質及び仕様項目）を「表示する」又は「非表示にする」入力を、要素毎に受付けることで、縦方向要素の選択入力、及び、横方向要素の選択入力を受付けてもよい。上述の通り、領域Ａ及びＢに表示されている要素が、各々、縦方向要素及び横方向要素として選択される。なお、このような「表示」、「非表示」を選択する入力を受付ける手段は特段制限されない。
【００３２】
なお、図１に示す要求品質受付部１１及び仕様項目受付部１３は、例えば、領域Ａ及びＢに表示されたインタフェイスから、第１の要求品質及び第１の仕様項目の入力を受付けてもよい。すなわち、要求品質受付部１１及び仕様項目受付部１３は、領域Ａ及びＢのツリーに対して枝を追加する入力を受付けるとともに、その枝に要求品質又は仕様項目を関連付ける入力を受付けることで、第１の要求品質及び第１の仕様項目の入力を受付けてもよい。また、要求品質受付部１１及び仕様項目受付部１３は、これらを削除する入力を受付けてもよい。
【００３３】
このように構成した場合、図２の領域Ａ及びＢは、要求品質受付部１１及び仕様項目受付部１３が第１の要求品質及び第１の仕様項目の入力を受付けるインタフェイスとして機能するとともに、縦要素選択受付部１８及び横要素選択受付部１９が縦方向要素及び横方向要素の選択入力を受付けるインタフェイスとしても機能する。
【００３４】
なお、その他の構成として、図２の領域Ａ及びＢを、縦要素選択受付部１８及び横要素選択受付部１９が縦方向要素及び横方向要素の選択入力を受付けるインタフェイスとしてのみ機能させることもできる。すなわち、要求品質受付部１１及び仕様項目受付部１３は、予め、図２の領域Ａ及びＢとは異なるインタフェイス（設計的事項）から第１の要求品質及び第１の仕様項目の入力を受付けておく。そして、図２の領域Ａ及びＢに、予め要求品質受付部１１及び仕様項目受付部１３が受付けた第１の要求品質及び第１の仕様項目のすべてを、個別に「表示」及び「非表示」を選択可能にツリー状に表示する。縦要素選択受付部１８及び横要素選択受付部１９は、上記と同様、ツリー状に表示されている第１の要求品質及び第１の仕様項目を「表示する」又は「非表示にする」入力を受付けることで、縦方向要素の選択入力、及び、横方向要素の選択入力を受付けてもよい。上述の通り、領域Ａ及びＢに表示されている要素が、各々、縦方向要素及び横方向要素として選択される。
【００３５】
ここで、図２には、縦方向要素として、第１の仕様項目の一部又は全部のみを表示し、横方向要素として、第１の要求品質の一部又は全部のみを表示している例が示されているが、図３に示すように、縦方向要素として、第１の仕様項目及び第１の要求品質を表示することも可能である。また、図示しないが、横方向要素として、第１の仕様項目及び第１の要求品質を表示することも可能である。
【００３６】
かかる場合も、領域Ａ及びＢを、要求品質受付部１１及び仕様項目受付部１３が第１の要求品質及び第１の仕様項目の入力を受付けるインタフェイスとして機能させるとともに、縦要素選択受付部１８及び横要素選択受付部１９が縦方向要素及び横方向要素の選択入力を受付けるインタフェイスとして機能させることができる。
【００３７】
また、領域Ａ及びＢを、縦要素選択受付部１８及び横要素選択受付部１９が縦方向要素及び横方向要素の選択入力を受付けるインタフェイスとしてのみ機能させることもできる。かかる場合は、領域Ａに、予め要求品質受付部１１及び仕様項目受付部１３が受付けた第１の要求品質及び第１の仕様項目のすべてを、個別に「表示」及び「非表示」を選択可能にツリー状に表示する。また、領域Ｂにも同様に、予め要求品質受付部１１及び仕様項目受付部１３が受付けた第１の要求品質及び第１の仕様項目のすべてを、個別に「表示」及び「非表示」を選択可能にツリー状に表示する。そして、縦要素選択受付部１８及び横要素選択受付部１９は、ツリー状に表示されている第１の要求品質及び第１の仕様項目を「表示する」又は「非表示にする」入力を受付けることで、縦方向要素の選択入力、及び、横方向要素の選択入力を受付ける。上述の通り、領域Ａ及びＢに表示されている要素が、各々、縦方向要素及び横方向要素として選択される。
【００３８】
なお、領域Ａ及びＢにおけるツリー状の表示はあくまで一例であり、ツリー状とは異なる態様で表示することもできる。
【００３９】
図１に戻り、関係情報受付部１６は、マトリクス表示部１５が表示する２次元マトリクス表における第１の縦方向要素と第１の横方向要素の交点のマス目に対して、関係情報の入力を受付ける。
【００４０】
関係情報は、１つまたは複数の縦方向要素の中の任意の要素である第１の縦方向要素と、１つまたは複数の横方向要素の中の任意の要素である第１の横方向要素の内容に従い定まる概念である。例えば、第１の縦方向要素及び第１の横方向要素の組み合わせが、第１の要求品質及び第１の仕様項目の組である場合、関係情報は当該第１の要求品質と当該第１の仕様項目の対応の強さになる。また、第１の縦方向要素及び第１の横方向要素の組み合わせが、第１の要求品質及び第１の要求品質の組である場合、関係情報は当該第１の要求品質と当該第１の要求品質の対応の強さになる。さらに、第１の縦方向要素及び第１の横方向要素の組み合わせが、第１の仕様項目及び第１の仕様項目である場合、関係情報は当該第１の仕様項目と当該第１の仕様項目の対応の強さになる。関係情報は例えば０乃至５の６段階評価（０は対応なし、５が最も対応が強い）であってもよいし、その他の態様であってもよい。
【００４１】
第１の商品の設計者は、図２及び３に示すように、２次元マトリクス表内に関係情報を入力していく。なお、２次元マトリクス表に表示されている縦方向要素及び横方向要素が多すぎると、設計者は各要素を個別に把握しながら、関係情報を入力していく作業を面倒に感じる場合がある。また、意図せず任意の要素をとばしてしまい、関係情報の入力漏れが生じる恐れがある。図２に示す２次元マトリクス表の場合、領域Ａ及びＢに表示する要素を調整（表示、非表示の選択）することで、２次元マトリクス表に表示される要素の数を調整することができるので、設計者は、領域Ａ及びＢを操作し、表示する縦方向要素及び横方向要素を選択し直すことで、２次元マトリクス表に表示される要素を最適化することができる。
【００４２】
ここで、横方向要素として第１の要求品質を表示し、縦方向要素として第１の仕様項目のみならず第１の要求品質をも表示している図３に示す２次元マトリクス表によれば、次のような効果が期待される。
【００４３】
まず、設計者が関係情報を入力していく作業は、例えば以下のような流れで行われる。設計者は、例えば横方向要素として列挙された第１の要求品質の中の「高速プリント」に着目する。そして、「高速プリント」（横方向要素）と、縦方向要素として列挙された第１の仕様項目各々との対応の強さを順に判断しながら、所定の値を入力していく。そして、「高速プリント」（横方向要素）と、すべての第１の仕様項目（縦方向要素）各々との対応の強さの判断、及び、関係情報の入力が終了すると、その後、設計者は、「高速プリント」（横方向要素）と、縦方向要素として列挙された第１の要求品質各々との対応の強さを順に判断しながら、関係情報を入力していく。そして、「高速プリント」（横方向要素）と、すべての第１の要求品質（縦方向要素）各々との対応の強さの判断、及び、関係情報の入力が終了すると、設計者は、その他の横方向要素である「快適なスキャニング」に着目する。そして、同様の作業を進めていく。
【００４４】
ここで、設計者は、図３に示すように、「快適なスキャニング」（第１の要求品質）と「読み取り解像度」（第１の仕様項目）の対応関係を「５（強い）」と入力し、「高速プリント」（第１の要求品質）と「読み取り解像度」（第１の仕様項目）の対応関係を「空値（対応なし）」と設定している。そして、設計者は、「快適なスキャニング」（第１の要求品質）と「高速プリント」（第１の要求品質）の対応関係を「３（中程度）」と入力している。設計者は、この三角関係を見直した結果、「高速プリント」（第１の要求品質）と「読み取り解像度」（第１の仕様項目）は、当初、対応関係無と判断していたが、これらは、間接的に対応関係を有すると判断し直すことができる。そして、２次元マトリクス表における「高速プリント」（第１の要求品質）と「読み取り解像度」（第１の仕様項目）の交点のマス目に、所定の対応関係を有する情報を入力し直すことができる。
【００４５】
このように、本実施形態によれば、設計者は、第１の要求品質同士の対応関係、及び、第１の仕様項目同士の対応関係をも考慮しながら、第１の要求品質と第１の仕様項目の対応関係を判断し、所定の関係情報を入力することができる。
【００４６】
図１に戻り、関係情報記憶部１７は、関係情報受付部１６が受付けた関係情報を、第１の商品に関連付けて記憶する。例えば、第１の商品に商品番号などの識別情報が付与され、関係情報記憶部１７は、当該識別情報に関連付けて、関係情報を記憶する。
【００４７】
以上説明したように、本実施形態の情報管理装置によれば、２次元マトリクス表に第１の要求品質と第１の仕様項目の対応の強さを入力するのみならず、第１の要求品質同士の対応の強さや、第１の仕様項目同士の対応の強さを入力することもできる。かかる場合、設計者は、第１の要求品質同士の対応の強さや、第１の仕様項目同士の対応の強さをも考慮しながら、第１の要求品質と第１の仕様項目の対応の強さを判断することができる。結果、第１の要求品質を第１の仕様項目に変換する処理の精度を向上させることができる。
【００４８】
以上の説明によれば、以下の、本実施形態の情報管理方法の説明もなされている。
【００４９】
２次元マトリクス表を表示し、第１の商品に要求される１つ又は複数の品質である要求品質、及び、前記第１の商品に関連する１つ又は複数の仕様項目の中の一部又は全部を、縦方向要素として前記２次元マトリクス表に縦方向一列に表示するとともに、１つ又は複数の前記要求品質、及び、１つ又は複数の前記仕様項目の中の一部又は全部を、横方向要素として前記２次元マトリクス表に横方向一列に表示するマトリクス表示ステップと、前記２次元マトリクス表における第１の前記縦方向要素と第１の前記横方向要素の交点のマス目に対して、前記第１の縦方向要素及び前記第１の横方向要素の内容に従い、前記要求品質と前記仕様項目の対応の強さ、前記要求品質同士の対応の強さ、又は、前記仕様項目同士の対応の強さを示す関係情報の入力を受付ける関係情報受付ステップと、前記関係情報受付ステップで受付けた前記関係情報を、前記第１の商品に関連付けて記憶する関係情報記憶ステップと、をコンピュータが実行する情報管理方法。
【００５０】
また、本実施形態の情報管理装置は、例えば、以下のプログラムをコンピュータにインストールすることで実現することができる。
【００５１】
コンピュータを、
第１の商品に要求される１つ又は複数の品質である要求品質の入力を受付ける要求品質受付手段、
前記要求品質受付手段が受付けた前記要求品質を、前記第１の商品に関連付けて記憶する要求品質記憶手段、
前記第１の商品に関連する１つ又は複数の仕様項目の入力を受付ける仕様項目受付手段、
前記仕様項目受付手段が受付けた前記仕様項目を、前記第１の商品に関連付けて記憶する仕様項目記憶手段、
２次元マトリクス表を表示し、前記要求品質記憶手段が記憶する１つ又は複数の前記要求品質、及び、前記仕様項目記憶手段が記憶する１つ又は複数の前記仕様項目の中の一部又は全部を、縦方向要素として前記２次元マトリクス表に縦方向一列に表示するとともに、前記要求品質記憶手段が記憶する１つ又は複数の前記要求品質、及び、前記仕様項目記憶手段が記憶する１つ又は複数の前記仕様項目の中の一部又は全部を、横方向要素として前記２次元マトリクス表に横方向一列に表示するマトリクス表示手段、
前記２次元マトリクス表における第１の前記縦方向要素と第１の前記横方向要素の交点のマス目に対して、前記第１の縦方向要素及び前記第１の横方向要素の内容に従い、前記要求品質と前記仕様項目の対応の強さ、前記要求品質同士の対応の強さ、又は、前記仕様項目同士の対応の強さを示す関係情報の入力を受付ける関係情報受付手段、
前記関係情報受付手段が受付けた前記関係情報を、前記第１の商品に関連付けて記憶する関係情報記憶手段、
として機能させるためのプログラム。
【００５２】
＜第２の実施形態＞
図４に、本実施形態の情報管理装置１０の機能ブロック図の一例を示す。図示するように、情報管理装置１０は、要求品質受付部１１と、要求品質記憶部１２と、仕様項目受付部１３と、仕様項目記憶部１４と、マトリクス表示部１５と、関係情報受付部１６と、関係情報記憶部１７と、追加項目受付部２０と、追加項目記憶部２１とを有する。なお、情報管理装置１０は、さらに、縦要素選択受付部１８及び横要素選択受付部１９を有してもよい。
【００５３】
以下、マトリクス表示部１５と、関係情報受付部１６と、関係情報記憶部１７と、縦要素選択受付部１８と、横要素選択受付部１９と、追加項目受付部２０と、追加項目記憶部２１とについて説明する。なお、第１の実施形態と同様の部分については、説明を省略する。また、要求品質受付部１１と、要求品質記憶部１２と、仕様項目受付部１３と、仕様項目記憶部１４の構成は、第１の実施形態と同様であるので、ここでの説明は省略する。
【００５４】
追加項目受付部２０は、要求品質及び仕様項目とは異なるカテゴリに分類される項目であって、第１の商品に関連する項目である１つ又は複数の追加項目の入力を受付ける。例えば、追加項目受付部２０は、図２及び３に示す領域Ａ及びＢのインタフェイスから、追加項目の入力を受付けてもよい。例えば、当該ツリーに表示されている「要求品質」及び「仕様項目」の文言と同じレベルにツリーを追加し、所定の項目を追加するとともに、当該項目の下に、その詳細な項目内容を追加できてもよい。または、追加項目受付部２０は、領域Ａ及びＢのインタフェイスとは異なるインタフェイスから、追加項目の入力を受付けてもよい。後者の場合、追加項目受付部２０が受付けた追加項目の全てが、領域Ａ及び／又はＢに、個別に「表示」及び「非表示」を選択可能にツリー状に表示されてもよい。そして、縦要素選択受付部１８及び横要素選択受付部１９は、第１の実施形態と同様に、ツリー状に表示されている第１の要求品質、第１の仕様項目及び追加項目を「表示する」又は「非表示にする」入力を受付けることで、縦方向要素の選択入力、及び、横方向要素の選択入力を受付けてもよい。上述の通り、領域Ａ及びＢに表示されている要素が、各々、縦方向要素及び横方向要素として選択される。
【００５５】
ここで、本実施形態のマトリクス表示部１５が表示する２次元マトリクス表の一例を図５に示す。図５に示す例では、横方向要素として複数の第１の仕様項目が表示されるとともに、複数のその他項目が表示されている。また、縦方向要素として複数の第１の要求品質が表示されるとともに、複数のその他項目が表示されている。
【００５６】
横方向要素として表示されている「要求品質重要度」は、第１の商品（開発商品）の依頼主（顧客）が各要求品質をどの程度重要と考えているかを示す。ここでは、一例として、１乃至５の５段階で評価している。当該重要度は、例えば顧客に対してアンケートを行い、例えば設計者が、その結果を入力することができる。また、横方向要素として表示されている「比較分析」は、自社製品（当製品）と、競合他社の競合品との顧客評価結果を示す。自社製品は、例えば、開発商品と同種の任意の自社製品とすることができる。ここでは、一例として、１乃至５の５段階で評価している。当該評価結果は、顧客に対してアンケートを行い、例えば設計者が、その結果を入力することができる。また、横方向要素として表示されている「企画品質」は、上記要求品質重要度、及び、比較分析の値を踏まえたうえで、設計者が、第１の商品（今回の開発商品）の目標値として設定し、入力した値である。
【００５７】
次に、縦方向要素として表示されている「品質特性重要度」は、複数の第１の仕様項目各々の重要度を示す。当該重要度は、第１の仕様項目各々が、第１の商品（今回の開発商品）に要求される第１の要求品質群とどれだけ強い対応を有しているかを示している。換言すれば、第１の要求品質群を満たす第１の製品を設計する上で、第１の仕様項目各々の検討がどれだけ重要かを示している。
【００５８】
品質特性重要度の点数は、設計者が第１の仕様項目と第１の要求品質との対応の強さを２次元マトリクス表に入力後、当該入力結果を参照しながら、第１の仕様項目各々の重要度を決定し、入力してもよい。または、設計者が第１の仕様項目と第１の要求品質との対応の強さを２次元マトリクス表に入力すると、その入力内容に従い、複数の第１の仕様項目各々の要求特性重要度が自動的に算出されてもよい。そして、マトリクス表示部１５は、自動的に算出された値を、２次元マトリクス表の各マス目に表示してもよい。例えば、第１の仕様項目ごとに入力値の和を算出し、算出された値を第１の仕様項目各々の要求特性重要度としてもよい。図５に示す例の場合、第１の仕様項目である「カラー対応」は、第１の要求品質である「高画質」との対応関係が「５」となっている。このため、第１の仕様項目である「カラー対応」の要求特性重要度には、「５」が加算される。当該ルールに従い、第１の仕様項目各々の要求特性重要度が算出されてもよい。
【００５９】
なお、要求品質重要度を重み付け値として利用する手段も考えられる。例えば、図５に示す例の場合、第１の仕様項目である「カラー対応」は、第１の要求品質である「高画質」との対応関係が「５」となっている。また、第１の要求品質である「高画質」の要求品質重要度は「５」である。よって、第１の仕様項目である「カラー対応」の要求特性重要度には、「２５（＝５×５）」が加算される。当該ルールに従い、第１の仕様項目各々の要求特性重要度が算出されてもよい。
【００６０】
また、縦方向要素として表示されている「比較分析」は、自社製品（当製品）と、競合他社の競合品との性能の優劣を示す。自社製品は、例えば、開発商品と同種の任意の自社製品とすることができる。なお、評価の手法は、１００点満点、５０点満点などの任意の基準で設計者が評価し、入力してもよいし（図５参照）、または、図示しないが、各仕様の詳細を把握できる値を入力してもよい。例えば、仕様項目「ＨＤＤ容量」については、１６（ＭＢ）、３２（ＭＢ）、６４（ＭＢ）等の実際の値を入力してもよい。同様に、仕様項目「カラー対応」については、６万（色）、２６万（色）、１６７７万（色）等の実際の値を、仕様項目「ウォームアップタイム」については、６０（秒）、１２０（秒）、３００（秒）、３６０（秒）等の実際の値を、仕様項目「インタフェイス」については、１（種類）、２（種類）、３（種類）、５（種類）等の実際の値を入力してもよい。
【００６１】
また、縦方向要素として表示されている「設計品質」は、要求品質重要度、及び、比較分析の値を踏まえたうえで、設計者が、第１の商品（今回の開発商品）の目標値として設定し、入力した値である。
【００６２】
なお、横方向要素の「企画品質」の値、及び、縦方向要素の「設計品質」の値をどのようにするかは設計的事項であり、必ずしも、全ての値が競合他社を上回る必要はない。設計者は、第１の商品（今回の開発商品）における各項目の重要度等を考慮しながら、横方向要素の「企画品質」の値、及び、縦方向要素の「設計品質」の値を決定することができる。
【００６３】
関係情報記憶部１７は、上述のような、第１の要求品質と追加項目の関係、及び、第１の仕様項目と追加項目の関係を示す情報をも、関係情報として記憶する。
【００６４】
以上説明したように、本実施形態の情報管理装置によれば、設計者は、複数の第１の仕様項目各々の重要度を容易に把握することができる。結果、第１の商品の設計における、複数の第１の仕様項目の優先順位を容易に把握することができる。また、競合品との比較評価結果を、第１の要求品質ごと、また、第１の仕様項目ごとに、容易に把握することができる。
【００６５】
＜第３の実施形態＞
図６に、本実施形態の情報管理装置１０の機能ブロック図の一例を示す。図示するように、情報管理装置１０は、要求品質受付部１１と、要求品質記憶部１２と、仕様項目受付部１３と、仕様項目記憶部１４と、マトリクス表示部１５と、関係情報受付部１６と、関係情報記憶部１７と、制限情報記憶部２２と、を有する。なお、情報管理装置１０は、追加項目受付部２０と、追加項目記憶部２１を有してもよく、さらに加えて、縦要素選択受付部１８及び横要素選択受付部１９を有してもよい。または、情報管理装置１０は、追加項目受付部２０及び追加項目記憶部２１を有する代わりに、縦要素選択受付部１８及び横要素選択受付部１９を有してもよい。
【００６６】
以下、制限情報記憶部２２、関係情報受付部１６及びマトリクス表示部１５について説明する。なお、第１の実施形態及び第２の実施形態と同様の部分については、説明を省略する。また、その他の部の構成は、第１の実施形態及び第２の実施形態と同様であるので、ここでの説明は省略する。
【００６７】
制限情報記憶部２２は、マトリクス表示部１５が表示する２次元マトリクス表における第１の要求品質と第１の仕様項目の交点のマス目、第１の要求品質同士の交点のマス目、及び、第１の仕様項目同士の交点のマス目各々に入力可能な値を特定した入力値制限情報を記憶する。例えば、第１の要求品質と第１の仕様項目の対応の強さを０乃至５の６段階で評価する場合、第１の要求品質と第１の仕様項目の交点のマス目には、０乃至５の値のみが入力可能となる。同様に、第１の要求品質同士の対応の強さを０乃至５の６段階で評価する場合、第１の要求品質と第１の要求品質の交点のマス目には、０乃至５の値のみが入力可能となる。同様に、第１の仕様項目同士の対応の強さを０乃至５の６段階で評価する場合、第１の仕様項目と第１の仕様項目の交点のマス目には、０乃至５の値のみが入力可能となる。入力値制限情報はこのような、各マス目に入力可能な値を規定している。参考までに、図７に入力値制限情報の一例を示す。図７に示す入力値制限情報によれば、第１の要求品質と第１の要求品質の交点のマス目、及び、第１の要求品質と第１の仕様項目の交点のマス目には、０乃至５の値のみが入力可能なことが規定されている。
【００６８】
なお、入力値制限情報には、さらに、第１の要求品質と追加項目の交点のマス目、及び、第１の仕様項目と追加項目の交点のマス目に入力可能な値を特定した情報が含まれてもよい。
【００６９】
関係情報受付部１６は、マトリクス表示部１５が表示する２次元マトリクス表における第１のマス目に対する関係情報の入力を受付ける際、まず、縦方向要素及び横方向要素の内容を特定する。そして、その後、制限情報記憶部２２が記憶する入力値制限情報を参照して、第１のマス目に入力可能な値を特定し、特定した値のみの入力を許可する。
【００７０】
例えば、図３の領域Ｃに表示されている２次元マトリクス表において、カーソルＤが位置するマス目に対する入力を受付ける場合を考える。かかる場合、関係情報受付部１６は、カーソルＤが位置するマス目が交点となる縦方向要素及び横方向要素を特定する。ここでは、縦方向要素として第１の仕様項目が、横方向要素として第１の要求品質が特定される。その後、関係情報受付部１６は、例えば図７に示す入力値制限情報を参照して、当該マス目に入力可能な値を特定する。ここでは、０〜５の値が特定される。このため、関係情報受付部１６は、カーソルＤが位置するマス目に対して、０〜５の値のみの入力を許可する（ここでは、空値＝０とする）。なお、関係情報受付部１６は、入力を許可する値を例えばドロップダウンリストなどで表示し、いずれかを選択する入力を受付けるようにしてもよい。
【００７１】
本実施形態によれば、設計者が間違って規定外の値を２次元マトリクス表に入力する不都合を防止することができる。結果、第１の要求品質を第１の仕様項目に変換する処理の精度を向上させることができる。
【００７２】
＜第４の実施形態＞
図８に、本実施形態の情報管理装置１０の機能ブロック図の一例を示す。図示するように、情報管理装置１０は、要求品質受付部１１と、要求品質記憶部１２と、仕様項目受付部１３と、仕様項目記憶部１４と、マトリクス表示部１５と、関係情報受付部１６と、関係情報記憶部１７と、部品決定部２３と、部品仕様関係情報記憶部２４と、部品情報記憶部２５と、影響仕様特定部２６と、影響要求品質特定部２７と、を有する。なお、情報管理装置１０は、追加項目受付部２０及び追加項目記憶部２１を有してもよく、さらに加えて、縦要素選択受付部１８及び横要素選択受付部１９、及び／又は、制限情報記憶部２２を有してもよい。または、情報管理装置１０は、追加項目受付部２０及び追加項目記憶部２１を有する代わりに、縦要素選択受付部１８及び横要素選択受付部１９、及び／又は、制限情報記憶部２２を有してもよい。
【００７３】
以下、部品決定部２３、部品仕様関係情報記憶部２４、部品情報記憶部２５、影響仕様特定部２６、及び、影響要求品質特定部２７の構成について説明する。なお、その他の部の構成は、第１の実施形態、第２の実施形態及び第３の実施形態と同様であるので、ここでの説明は省略する。
【００７４】
部品決定部２３は、関係情報記憶部１７が記憶する関係情報に基づいて、第１の商品の部品を決定する。部品の決定は、非特許文献１に記載された手法を利用して決定することができる。以下、複合機に含まれる現像装置の部品を決定する処理の一例を示す。
【００７５】
部品決定部２３は、設計者から現像装置の複数の仕様の入力を受付けると、図９に「システム仕様→現像装置仕様」として示すように、複合機の仕様と現像装置の仕様の２次元マトリクス表を表示する。そして、部品決定部２３は、設計者から、複合機の各仕様と現像装置の各仕様間の対応関係を示す情報の入力を受付ける。また、部品決定部２３は、設計者から、現像装置の複数の機能の入力を受付けると、図９に「現像装置（仕様→機能）」として示すように、現像装置の仕様と機能の２次元マトリクス表を表示する。そして、部品決定部２３は、設計者から、各仕様と機能間の対応関係を示す情報の入力を受付ける。また、部品決定部２３は、図９に「現像装置（仕様→仕様）」として示すように、現像装置の仕様を縦横に配列した２次元マトリクス表を表示する。そして、部品決定部２３は、現像装置の各仕様間の対応関係を示す情報の入力を受付ける。また、部品決定部２３は、設計者から、現像装置の複数の構成（ユニット）の入力を受付けると、図９に「現像装置（機能→構成）」として示すように、現像装置の機能と構成の２次元マトリクス表を表示する。そして、部品決定部２３は、設計者から、現像装置の各機能と各構成の対応関係を示す情報の入力を受付ける。なお、図９に示す各表においては、表示を明瞭にするため表の縦線及び横線を非表示としているが、実際には縦線及び横線を表示した２次元マトリクス表とすることができる。
【００７６】
なお、図示しないが、各２次元マトリクス表において上記対応関係を入力後、設計者は、第２の実施形態で説明したように、各項目の重要度、目標値等を決定し、入力できてもよい。例えば、図９に示す「システム仕様→現像装置仕様」において複合機の各仕様と現像装置の各仕様間の対応関係を示す情報を入力後、設計者は、その入力内容、及び、その前のステップで設定した複合機の各仕様の目標値（図５の「設計品質」）に基づいて、現像装置の各仕様の目標値を設定し、入力してもよい。同様に、設計者は、図９に示す「現像装置（仕様→機能）」において現像装置の各仕様と各機能間の対応関係を示す情報を入力後、その入力内容、及び、現像装置の各仕様の目標値に基づいて、現像装置の各機能の目標値を設定し、入力してもよい。同様に、設計者は、図９に示す「現像装置（機能→構成）」において現像装置の各機能と各構成間の対応関係を示す情報を入力後、その入力内容、及び、現像装置の各機能の目標値に基づいて、現像装置の各構成（ユニット）の目標値を設定し、入力してもよい。その後、設計者は、各構成（ユニット）の目標値に基づいて、各構成（ユニット）の部品を決定し、部品決定部２３に入力する。部品決定部２３は、入力された部品を、第１の商品の構成部品として取得する。
【００７７】
部品情報記憶部２５は、関係情報記憶部１７が記憶する関係情報に基づいて部品決定部２３が決定した第１の商品の構成部品を示す部品情報を記憶する。図１０に、部品情報の一例を示す。当該部品情報は、第１の商品の構成部品を、ツリー状に表示している。「製品番号」は、第１の商品の識別番号である。「ユニット番号」は、第１の商品を構成するユニットの番号であり、「部品番号」は、各ユニットを構成する部品の番号である。
【００７８】
部品仕様関係情報記憶部２４は、第１の仕様項目各々と、構成部品各々の対応関係を特定するための部品仕様関係情報を記憶する。具体的には、部品仕様関係情報記憶部２４は、第１の仕様項目をスタートにして構成（ユニット）までブレークダウンするために、部品決定部２３が設計者の入力に基づいて作成した複数のデータ（例：図９に示す「システム仕様→現像装置仕様」、「現像装置（仕様→機能）」、「現像装置（仕様→仕様）」、「現像装置（機能→構成）」）を記憶する。
【００７９】
影響仕様特定部２６は、第１の商品の構成部品の中の一部を他の部品に変更した場合、当該変更の影響が及び第１の仕様項目を特定する。具体的には、まず、影響仕様特定部２６は変更する構成部品を特定する情報（部品番号）を入手する。その後、部品情報記憶部２５が記憶する部品情報（図１０参照）を参照し、当該部品を含むユニットを特定する。次いで、影響仕様特定部２６は、部品仕様関係情報記憶部２４が記憶する情報（例：図９の「現像装置（機能→構成）」）を参照し、特定したユニット（構成）と対応関係を有する機能を特定後、同様にして、部品仕様関係情報記憶部２４が記憶するその他の情報を利用し、特定した機能と対応関係を有する第１の仕様項目を特定する。
【００８０】
影響要求品質特定部２７は、関係情報記憶部１７が記憶する関係情報（図５参照）、及び、影響仕様特定部２６が特定した構成部品の変更により影響を受ける第１の仕様項目を利用して、構成部品の変更の影響が及び第１の要求品質を特定する。具体的には、影響要求品質特定部２７は、関係情報（図５参照）を参照し、当該第１の仕様項目と対応関係を有する第１の要求品質を特定する。
【００８１】
以上、本実施形態によれば、設計者は、構成部品の変更により影響を受ける第１の要求品質を容易に把握することができる。
【００８２】
なお、本実施形態の情報管理装置１０は、図１１に示すような、ユニット同士の対応関係を示す情報を作成し、記憶しておいてもよい。当該情報は、図２及び３に示すインタフェイスを利用して設計者が作成し、情報管理装置１０に記憶させてもよい。ユニット同士の対応関係としては、例えば、第１のユニットの設計を変更（部品変更等）した場合、第２のユニットの設計を見直す必要がある場合、第１のユニットと第２のユニットは対応関係を有すると考えることができる。
【００８３】
本実施形態の情報管理装置１０が、上述のようなユニット同士の対応関係を示す情報を記憶している場合、以下のような処理が実現できる。例えば、第１の商品の構成部品の中の一部を他の部品に変更した場合、影響仕様特定部２６は、部品情報記憶部２５が記憶する部品情報（図１０参照）を参照し、当該部品を含むユニットを特定するとともに、ユニット同士の対応関係を示す情報（図１１参照）を参照し、特定したユニットと対応関係を有するユニットを特定する。その後、上記説明したように、影響仕様特定部２６は、部品仕様関係情報記憶部２４が記憶する部品仕様関係情報（図９）を参照し、影響仕様特定部２６が特定した全てのユニット（変更する部品を含むユニット、及び、当該ユニットと対応関係を有するユニット）と対応関係を有する機能を特定後、当該機能と対応関係を有する第１の仕様項目を特定する。そして、影響要求品質特定部２７は、関係情報（図５参照）を参照し、当該第１の仕様項目と対応関係を有する第１の要求品質を特定する。かかる場合、部品変更の影響が及ぶ第１の要求品質を、より高精度に特定することができる。
【００８４】
この出願は、２０１２年１月１８日に出願された日本特許出願特願２０１２−００８４９９号を基礎とする優先権を主張し、その開示の全てをここに取り込む。
以下、参考形態の例を付記する。
１．  第１の商品に要求される１つ又は複数の品質である要求品質の入力を受付ける要求品質受付手段と、
前記要求品質受付手段が受付けた前記要求品質を、前記第１の商品に関連付けて記憶する要求品質記憶手段と、
前記第１の商品に関連する１つ又は複数の仕様項目の入力を受付ける仕様項目受付手段と、
前記仕様項目受付手段が受付けた前記仕様項目を、前記第１の商品に関連付けて記憶する仕様項目記憶手段と、
２次元マトリクス表を表示し、前記要求品質記憶手段が記憶する１つ又は複数の前記要求品質、及び、前記仕様項目記憶手段が記憶する１つ又は複数の前記仕様項目の中の一部又は全部を、縦方向要素として前記２次元マトリクス表に縦方向一列に表示するとともに、前記要求品質記憶手段が記憶する１つ又は複数の前記要求品質、及び、前記仕様項目記憶手段が記憶する１つ又は複数の前記仕様項目の中の一部又は全部を、横方向要素として前記２次元マトリクス表に横方向一列に表示するマトリクス表示手段と、
前記２次元マトリクス表における第１の前記縦方向要素と第１の前記横方向要素の交点のマス目に対して、前記第１の縦方向要素及び前記第１の横方向要素の内容に従い、前記要求品質と前記仕様項目の対応の強さ、前記要求品質同士の対応の強さ、又は、前記仕様項目同士の対応の強さを示す関係情報の入力を受付ける関係情報受付手段と、
前記関係情報受付手段が受付けた前記関係情報を、前記第１の商品に関連付けて記憶する関係情報記憶手段と、
を有する情報管理装置。
２．  １に記載の情報管理装置において、
前記要求品質記憶手段が記憶する１つ又は複数の前記要求品質、及び、前記仕様項目記憶手段が記憶する１つ又は複数の前記仕様項目の中の一部又は全部を、前記縦方向要素とする選択入力を受付ける縦要素選択受付手段と、
前記要求品質記憶手段が記憶する１つ又は複数の前記要求品質、及び、前記仕様項目記憶手段が記憶する１つ又は複数の前記仕様項目の中の一部又は全部を、前記横方向要素とする選択入力を受付ける横要素選択受付手段と、
をさらに有し、
前記マトリクス表示手段は、前記選択入力により特定される前記縦方向要素と前記横方向要素を、前記２次元マトリクス表に表示する情報管理装置。
３．  １に記載の情報管理装置において、
前記要求品質及び前記仕様項目とは異なるカテゴリに分類される項目であって、前記第１の商品の設計において考慮すべき項目である１つ又は複数の追加項目の入力を受付ける追加項目受付手段と、
前記追加項目受付手段が受付けた前記追加項目を、前記第１の商品に関連付けて記憶する追加項目記憶手段と、
をさらに有し、
前記マトリクス表示手段は、前記追加項目記憶手段が記憶する１つ又は複数の前記追加項目を、前記縦方向要素及び／又は前記横方向要素として前記２次元マトリクス表に表示することができ、
前記関係情報受付手段は、前記関係情報として、さらに、前記要求品質と前記追加項目の関係、又は、前記仕様項目と前記追加項目の関係を示す情報の入力を受付けることができる情報管理装置。
４．  ３に記載の情報管理装置において、
前記要求品質記憶手段が記憶する１つ又は複数の前記要求品質、前記仕様項目記憶手段が記憶する１つ又は複数の前記仕様項目、及び、前記追加項目記憶手段が記憶する１つ又は複数の前記追加項目の中の一部又は全部を、前記縦方向要素とする選択入力を受付ける縦要素選択受付手段と、
前記要求品質記憶手段が記憶する１つ又は複数の前記要求品質、前記仕様項目記憶手段が記憶する１つ又は複数の前記仕様項目、及び、前記追加項目記憶手段が記憶する１つ又は複数の前記追加項目の中の一部又は全部を、前記横方向要素とする選択入力を受付ける横要素選択受付手段と、
をさらに有し、
前記マトリクス表示手段は、前記選択入力により特定される前記縦方向要素と前記横方向要素を、前記２次元マトリクス表に表示する情報管理装置。
５．  １から４のいずれかに記載の情報管理装置において、
前記２次元マトリクス表における前記要求品質と前記仕様項目の交点のマス目、前記要求品質同士の交点のマス目、及び、前記仕様項目同士の交点のマス目各々に入力可能な値を特定した入力値制限情報を記憶する制限情報記憶手段をさらに有し、
前記関係情報受付手段は、前記２次元マトリクス表における第１のマス目に対する前記関係情報の入力を受付ける際、まず、前記縦方向要素及び前記横方向要素の内容を特定し、その後、前記入力値制限情報を参照して、前記第１のマス目に入力可能な値を特定し、特定した値のみの入力を許可する情報管理装置。
６．  ３または４に従属する５に記載の情報管理装置において、
前記制限情報記憶手段が記憶する前記入力値制限情報の中には、前記要求品質と前記追加項目の交点のマス目、及び、前記仕様項目と前記追加項目の交点のマス目に入力可能な値を特定した情報も含まれる情報管理装置。
７．  １から６のいずれかに記載の情報管理装置において、
前記関係情報記憶手段が記憶する前記関係情報に基づいて決定された前記第１の商品の構成部品を示す部品情報を記憶する部品情報記憶手段と、
前記仕様項目各々と前記構成部品各々の対応関係を特定するための部品仕様関係情報を記憶する部品仕様関係情報記憶手段と、
前記第１の商品の前記構成部品の中の一部を他の部品に変更した場合、当該変更の影響が及ぶ前記仕様項目を、前記部品仕様関係情報を参照して特定する影響仕様特定手段と、
前記関係情報記憶手段が記憶する前記関係情報、及び、前記影響仕様特定手段が特定した前記仕様項目を利用して、前記構成部品の変更の影響が及ぶ前記要求品質を特定する影響要求品質特定手段と、
をさらに有する情報管理装置。
８．  コンピュータを、
第１の商品に要求される１つ又は複数の品質である要求品質の入力を受付ける要求品質受付手段、
前記要求品質受付手段が受付けた前記要求品質を、前記第１の商品に関連付けて記憶する要求品質記憶手段、
前記第１の商品に関連する１つ又は複数の仕様項目の入力を受付ける仕様項目受付手段、
前記仕様項目受付手段が受付けた前記仕様項目を、前記第１の商品に関連付けて記憶する仕様項目記憶手段、
２次元マトリクス表を表示し、前記要求品質記憶手段が記憶する１つ又は複数の前記要求品質、及び、前記仕様項目記憶手段が記憶する１つ又は複数の前記仕様項目の中の一部又は全部を、縦方向要素として前記２次元マトリクス表に縦方向一列に表示するとともに、前記要求品質記憶手段が記憶する１つ又は複数の前記要求品質、及び、前記仕様項目記憶手段が記憶する１つ又は複数の前記仕様項目の中の一部又は全部を、横方向要素として前記２次元マトリクス表に横方向一列に表示するマトリクス表示手段、
前記２次元マトリクス表における第１の前記縦方向要素と第１の前記横方向要素の交点のマス目に対して、前記第１の縦方向要素及び前記第１の横方向要素の内容に従い、前記要求品質と前記仕様項目の対応の強さ、前記要求品質同士の対応の強さ、又は、前記仕様項目同士の対応の強さを示す関係情報の入力を受付ける関係情報受付手段、
前記関係情報受付手段が受付けた前記関係情報を、前記第１の商品に関連付けて記憶する関係情報記憶手段、
として機能させるためのプログラム。
９．  ２次元マトリクス表を表示し、第１の商品に要求される１つ又は複数の品質である要求品質、及び、前記第１の商品に関連する１つ又は複数の仕様項目の中の一部又は全部を、縦方向要素として前記２次元マトリクス表に縦方向一列に表示するとともに、１つ又は複数の前記要求品質、及び、１つ又は複数の前記仕様項目の中の一部又は全部を、横方向要素として前記２次元マトリクス表に横方向一列に表示するマトリクス表示ステップと、
前記２次元マトリクス表における第１の前記縦方向要素と第１の前記横方向要素の交点のマス目に対して、前記第１の縦方向要素及び前記第１の横方向要素の内容に従い、前記要求品質と前記仕様項目の対応の強さ、前記要求品質同士の対応の強さ、又は、前記仕様項目同士の対応の強さを示す関係情報の入力を受付ける関係情報受付ステップと、
前記関係情報受付ステップで受付けた前記関係情報を、前記第１の商品に関連付けて記憶する関係情報記憶ステップと、
をコンピュータが実行する情報管理方法。
【図１】
0005950357.tif 000002
【図２】
0005950357.tif 000003
【図３】
0005950357.tif 000004
【図４】
0005950357.tif 000005
【図５】
0005950357.tif 000006
【図６】
0005950357.tif 000007
【図７】
0005950357.tif 000008
【図８】
0005950357.tif 000009
【図９】
0005950357.tif 000010
【図１０】
0005950357.tif 000011
【図１１】
0005950357.tif 000012